(57)【要約】  【課題】２枚のシャッタ羽根を取り付けている二つの羽根軸のうち、一方の羽根軸の先端が羽根室内に存在していても、その羽根軸に取り付けられているシャッタ羽根が作動中に脱落しないようにしたカメラ用シャッタ装置を提供すること。  【解決手段】地板１とカバー板２との間に羽根室が構成されており、地板１に立設されている羽根軸１ｆ，１ｇのうち、短い方の羽根軸１ｆの先端は羽根室内にあり、長い方の羽根軸１ｇの先端は、カバー板２に設けられた孔２ｃに挿入されている。また、地板１側に配置されているシャッタ羽根８は、羽根軸１ｆに回転可能に取り付けられており、カバー板２側に配置されているシャッタ羽根９は、羽根軸１ｇに回転可能に取り付けられていて、円弧状の長孔９ａには羽根軸１ｆを挿入させている。【選択図】  図１
2008116641.tif 000002
【特許請求の範囲】
【請求項１】
撮影光路用の開口部を有していて羽根室側の面には短くて先端が羽根室内にある第１羽根軸と長い第２羽根軸とを立設している地板と、撮影光路用の開口部と前記第２羽根軸の先端を挿入する孔を有していて前記地板との間に前記羽根室を構成しているカバー板と、長孔を有しており前記羽根室内で前記第１羽根軸に回転可能に取り付けられている第１シャッタ羽根と、長孔を有しており前記羽根室内で前記第１シャッタ羽根よりも前記カバー板側に配置されていて前記第２羽根軸に回転可能に取り付けられている第２シャッタ羽根と、前記２枚のシャッタ羽根の前記長孔の両方に嵌合させた駆動ピンを有しており該駆動ピンを往復作動させることによって前記２枚のシャッタ羽根を同時に相反する方向へ回転させ前記開口部の開閉作動を行わせる駆動手段と、を備えていることを特徴とするカメラ用シャッタ装置。
【請求項２】
前記第２シャッタ羽根が、前記第２羽根軸を中心にした円弧状の長孔を有していて、該長孔に前記第１羽根軸が挿入されていることを特徴とする請求項１に記載のカメラ用シャッタ装置。
【請求項３】
撮影光路用の開口部と前記第２羽根軸の先端を挿入する第１の孔のほか第２の孔を有していて前記地板と前記カバー板との間を仕切ることによって前記地板側には前記２枚のシャッタ羽根を配置した第１羽根室を構成し前記カバー板側には第２羽根室を構成している中間板と、前記地板に立設されていて前記中間板の前記第２の孔から挿入されている第３羽根軸に前記第２羽根室内において回転可能に取り付けられている光量制御羽根と、駆動ピンを有しており該駆動ピンを往復作動させることによって前記光量制御羽根を往復回転させ前記撮影光路に進退させる第２駆動手段と、を備えており、前記第１羽根軸の先端は前記第１羽根室内にあり、前記カバー板には、前記第２羽根軸と前記第３羽根軸のうち少なくとも前記第３羽根軸の先端を挿入させる孔が形成されていることを特徴とする請求項１又は２に記載のカメラ用シャッタ装置。
【発明の詳細な説明】
【技術分野】
【０００１】
本発明は、一般にレンズシャッタといわれているカメラ用のシャッタ装置に関する。
【背景技術】
【０００２】
カメラ用シャッタ装置の中には、地板とカバー板との間に羽根室を構成しており、その羽根室内おいて、地板に立設されている各々の羽根軸に対して回転可能に取り付けられている２枚のシャッタ羽根が、駆動手段によって、同時に相反する方向へ往復回転させられ、撮影光路用の開口部を開閉するようにしたシャッタ装置が知られている。そして、最近では、この種のシャッタ装置に対する薄型化（光軸に沿った方向の寸法を小さくすること）の要求が大きいため、上記のカバー板も可能な限り薄くなっている。また、シャッタ羽根は高速で作動させられると、停止時にストッパに当接したとき、大きく変形して、羽根軸から脱落してしまうことがある。そこで、そのような事態を避けるために、羽根軸の先端を、薄いカバー板の孔に挿入し、羽根室外へ突き出させるように構成することが知られているが、そのような構成例が、下記の特許文献１に記載されている。
【０００３】
また、この種のシャッタ装置は、絞り装置と共に一つのユニットとして構成することがあり、そのようなユニットを、古くから絞り付きシャッタ装置などと言っているが、そのような絞り付きシャッタ装置の中には、シャッタ羽根と絞り羽根とが作動中に相手の羽根に衝突しないようにするために、地板とカバー板の間を中間板で仕切って二つの羽根室を構成し、地板側の羽根室にシャッタ羽根を配置し、カバー板側の羽根室に絞り羽根を配置するようにしたものが知られている。そして、最近では、その種の装置の場合にも薄型化が要求されている。そのため、中間板とカバー板とを薄くし、シャッタ羽根の羽根軸は、その先端を、薄い中間板の孔に挿入して、カバー板側の羽根室内に突き出させるようにし、地板に立設されている絞り羽根用の羽根軸は、中間板の孔に挿入し、その先端を、カバー板の孔に挿入するように構成することが知られているが、そのような構成例が、下記の特許文献２に記載されている。
【０００４】
【特許文献１】特開２００５−２４１８６６号公報
【特許文献２】特開２０００−６００８８号公報
【発明の開示】
【発明が解決しようとする課題】
【０００５】
ところで、特許文献１に記載されている構成のシャッタ装置は、上記のように、二つの羽根軸の先端が、カバー板（特許文献１では「補助地板」）から羽根室外へ突き出ている。また、そのほかにも、シャッタ羽根に開閉作動を行わせる駆動手段の駆動ピン（特許文献１では「出力ピン」）の先端や複数のストッパの先端が、カバー板から羽根室外へ突き出ている。ところが、シャッタ装置の薄型化が要求されているくらいであるから、カメラ内においては、カメラを構成する他の部品が、カバー板に接近して配置されることになる。そのため、カバー板を薄くしたうえに、それらのうちの一つでもよいから、先端を羽根室外へは突き出させないようにすることが要求されている。そこで、それを可能にする構成としては、羽根軸などの先端が、カバー板に形成された孔の中に常に存在しているようにすればよいことになるが、カバー板が薄いので、生産上、そのように構成することは至難である。
【０００６】
また、特許文献２に記載されている構成の絞り付きシャッタ装置は、上記のように、二つの羽根軸の先端が、中間板からカバー板（特許文献２では「補助地板」）側の羽根室内に突き出ている。そのほかにも、カバー板側の羽根室内には、シャッタ羽根に開閉作動を行わせる駆動手段の駆動ピン（特許文献２では「出力ピン」）が存在するし、図示されていない複数のストッパも存在していることになる。そのため、その羽根室内に絞り羽根を配置するには、その形状や配置位置に制約を受け、設計の自由度が損なわれることになる。そこで、それを可能にする構成としては、シャッタ羽根の羽根軸の先端と、シャッタ羽根のストッパの先端と、シャッタ羽根を回転させる駆動ピンの先端とのうちの少なくとも一つを、常に中間板の孔の中に存在しているようにすればよいことになるが、カバー板の場合と同様に、中間板が薄いので、生産上、そのように構成することは至難である。
【０００７】
本発明は、このような問題点を解決するためになされたものであり、その目的とするところは、２枚のシャッタ羽根が、駆動手段の駆動ピンによって、同時に相反する方向へ往復回転させられ、撮影光路用の開口部を開閉するようにしたシャッタ装置において、地板に立設されていて２枚のシャッタ羽根を回転可能に取り付けている二つの羽根軸のうち、一方の羽根軸の先端がシャッタ羽根の羽根室外に突き出すことなく、その羽根室内に存在していても、その羽根軸に取り付けられているシャッタ羽根が作動中に脱落してしまうことがなく、しかも、それによって、その羽根室外のスペース効果が好適となるようにしたカメラ用シャッタ装置を提供することである。
【課題を解決するための手段】
【０００８】
上記の目的を達成するために、本発明のカメラ用シャッタ装置は、撮影光路用の開口部を有していて羽根室側の面には短くて先端が羽根室内にある第１羽根軸と長い第２羽根軸とを立設している地板と、撮影光路用の開口部と前記第２羽根軸の先端を挿入する孔を有していて前記地板との間に前記羽根室を構成しているカバー板と、長孔を有しており前記羽根室内で前記第１羽根軸に回転可能に取り付けられている第１シャッタ羽根と、長孔を有しており前記羽根室内で前記第１シャッタ羽根よりも前記カバー板側に配置されていて前記第２羽根軸に回転可能に取り付けられている第２シャッタ羽根と、前記２枚のシャッタ羽根の前記長孔の両方に嵌合させた駆動ピンを有しており該駆動ピンを往復作動させることによって前記２枚のシャッタ羽根を同時に相反する方向へ回転させ前記開口部の開閉作動を行わせる駆動手段と、を備えているようにする。その場合、前記第２シャッタ羽根が、前記第２羽根軸を中心にした円弧状の長孔を有していて、該長孔に前記第１羽根軸が挿入されているようにすると、より好ましい構成になる。
【０００９】
また、上記の構成において、さらに、撮影光路用の開口部と前記第２羽根軸の先端を挿入する第１の孔のほか第２の孔を有していて前記地板と前記カバー板との間を仕切ることによって前記地板側には前記２枚のシャッタ羽根を配置した第１羽根室を構成し前記カバー板側には第２羽根室を構成している中間板と、前記地板に立設されていて前記中間板の前記第２の孔から挿入されている第３羽根軸に前記第２羽根室内において回転可能に取り付けられている光量制御羽根と、駆動ピンを有しており該駆動ピンを往復作動させることによって前記光量制御羽根を往復回転させ前記撮影光路に進退させる第２駆動手段と、を備えており、前記第１羽根軸の先端は前記第１羽根室内にあり、前記カバー板には、前記第２羽根軸と前記第３羽根軸のうち少なくとも前記第３羽根軸の先端を挿入させる孔が形成されているようにしてもよい。
【発明の効果】
【００１０】
本発明は、地板に立設されている二つの羽根軸のうち、一方のシャッタ羽根を取り付けている羽根軸の先端が、従来のようにシャッタ羽根の羽根室外に突き出すことなく、その羽根室内に存在していても、そのシャッタ羽根が、他方のシャッタ羽根よりも地板側に配置されているため、作動中に、その羽根軸から脱落してしまうようなことがない。しかも、それによって、その羽根室外のスペースを有利に活用することが可能になるので、カメラ内の配置設計が好適に行えるようになるし、隣接してもう一つの羽根室を構成する場合には、その羽根室内に配置される光量制御羽根（絞り羽根，フィルタ羽根）の形状や配置設計の自由度が大きくなるという特徴がある。
【発明を実施するための最良の形態】
【００１１】
本発明の実施の形態を、図示した二つの実施例によって説明する。本発明は、地板とカバー板の間に羽根室を一つだけ構成し、そこに、２枚のシャッタ羽根を配置したシャッタ装置とすることも可能であるし、地板とカバー板との間を中間板で仕切って二つの羽根室を構成し、地板側の羽根室には、２枚のシャッタ羽根を配置し、カバー板側の羽根室には、露光制御羽根（絞り羽根又はフィルタ羽根）を配置したシャッタ装置とすることも可能なものである。そして、実施例１は、前者のように構成したものであり、実施例２は、後者のうち絞り羽根を備えたものとして構成したものである。また、それらの実施例のシャッタ装置も、いずれも、デジタルカメラにだけではなく、銀塩フィルムを使用するカメラにも採用することが可能であるが、それらの作動については、デジタルカメラに採用された場合で説明することにする。尚、図１〜図３は、実施例１を説明するためのものであり、図４〜図８は、実施例２を説明するためのものである。
【実施例１】
【００１２】
図１〜図３を用いて実施例１を説明する。尚、図１は、本実施例の撮影待機状態を示した平面図であり、図２は、本実施例の構成部材の重なり関係を示した断面図であり、図３は、撮影終了状態を示した平面図である。そこで先ず、本実施例の構成から説明する。本実施例の地板１は、合成樹脂製であって、図２から分かるように比較的厚く、複雑な形状をしており、図１に示されているように、円形をした撮影光路用の開口部１ａを形成している。また、この地板１には、所定の間隔を空けて、図示してない手段によってカバー板２が取り付けられ、両者の間に一つの羽根室を構成している。このカバー板２は、図１においては、その一部を破断して示されているが、図３に示されているように、地板１と略同じ平面形状をしており、上記の開口部１ａと対向するところに、開口部１ａよりも若干直径の大きな撮影光路用の開口部２ａを有している。
【００１３】
図２に示されているように、地板１の羽根室外の面には、二つの取付軸１ｂ，１ｃと回転子軸１ｄが一体成形によって立設されている。それらのうち、取付軸１ｂ，１ｃは、地板１の製作段階では円柱形をしていたが、モータ枠３を取り付けるに際して、モータ枠３に設けた孔に挿入し、それらの先端を熱溶解によってフランジ状に変形させられている。そして、地板１とモータ枠３との間に構成されたアクチュエータ室には、後述するシャッタ羽根の駆動手段である電磁アクチュエータが配置されている。
【００１４】
本実施例の電磁アクチュエータは、構成部材の平面形状が示されていないが、特開２００３−１８６０７９号公報に示されている周知の電磁アクチュエータと、類似の構成をしている。即ち、本実施例の回転子４は、略円筒形をしていてその径方向に２極に着磁された永久磁石製の本体部４ａと、その本体部４ａに一体化された合成樹脂製の腕部４ｂと、その腕部４ｂの先端に形成された駆動ピン４ｃからなっていて、上記の回転子軸１ｄに回転可能に取り付けられている。そして、駆動ピン４ｃは、地板１に円弧状に形成された周知の長孔１ｅから羽根室内に挿入され、その先端を、カバー板２に形成されていて長孔１ｅと類似の形状をした長孔２ｂに挿入している。尚、本実施例では、腕部４ｂと駆動ピン４ｃが合成樹脂製になっているが、それらを永久磁石製にすることも知られている。
【００１５】
次に、固定子の構成を説明する。上記の特開２００３−１８６０７９号公報に記載されている電磁アクチュエータの場合は、二つの脚部を有していて略Ｕ字形をしているヨークを二つ重ねて配置しているが、本実施例の場合には、それらを一つの部品にし、ヨーク５として配置している。そして、ヨーク５は、一方の脚部に、コイル６を巻回したボビン７を嵌装しており、両方の脚部の先端を磁極部とし、回転子４の本体部４ａを挟むようにしてその周面に対向させている。尚、本実施例の場合には、モータ枠３とボビン７を別部材としているが、それらを、合成樹脂による一体成形で、一つの部品とすることも知られている。
【００１６】
図１に示されているように、地板１の羽根室側の面には、二つの羽根軸１ｆ，１ｇと四つのストッパ軸１ｈ，１ｉ，１ｊ，１ｋとが一体成形で立設されている。それらのうち、二つの羽根軸１ｆ，１ｇは、互いに長さが異なっており、短い方の羽根軸１ｆの先端は、羽根室内に存在しているが、長い方の羽根軸１ｇは、その先端を、カバー板２に設けた孔２ｃに挿入している。そして、ストッパ軸１ｈ，１ｉ，１ｊ，１ｋは、それらの先端を、カバー板２に設けた孔２ｄ，２ｅ，２ｆ，２ｇ，に挿入している。
【００１７】
羽根室内には、２枚のシャッタ羽根８，９が配置されている。それらのうち、地板１側に配置されているシャッタ羽根８は、上記の羽根軸１ｆに回転可能に取り付けられていて、周知の長孔を、上記の回転子４の駆動ピン４ｃに嵌合させている。また、カバー板２側に配置されているシャッタ羽根９は、上記の羽根軸１ｇに回転可能に取り付けられていて、周知の長孔を、上記の回転子４の駆動ピン４ｃに嵌合させていると共に、羽根軸１ｇを中心にして円弧状に形成した長孔９ａには、短い方の羽根軸１ｆを挿入させている。尚、図１及び図３においては、回転子４の本体部４ａが示されていないが、上記の回転子軸１ｄは、羽根軸１ｆの近傍位置で羽根室外に立設されている。そのため、図１において、その図示されていない回転子４が反時計方向へ回転すると、駆動ピン４ｃは、重なって形成されている円弧状の長孔１ｅ，２ｂ内を略右下方向へ移動し、その後、時計方向へ回転すると、略左上方向へ移動するようになっている。
【００１８】
次に、本実施例の作動を説明する。図１は、撮影待機状態を示したものであって、シャッタ羽根８，９は、開口部１ａを全開にしている。そのため、図示していない固体撮像素子には被写体光が当たっており、撮影者は、モニターによって被写体像を観察することが可能になっている。また、このとき、電磁アクチュエータのコイル６には通電されていない。しかしながら、周知のように、このとき、回転子４は、その本体部４ａとヨーク５との間に作用する磁気吸引力によって、時計方向へ回転するように付勢されており、それによって、駆動ピン４ｃには、図１において略左上方向へ移動して、シャッタ羽根８を時計方向へ回転させ、シャッタ羽根９を反時計方向へ回転させる力が与えられている。しかしながら、シャッタ羽根８，９は、ストッパ軸１ｈ，１ｉに接触して、その回転を阻止され、この状態が維持されている。
【００１９】
撮影に際してレリーズボタンが押されると、固体撮像素子に蓄積されていた電荷を放出させて、撮影が開始され、新たな電荷が固体撮像素子に蓄積されていく。そして、所定の時間が経過すると、露光時間制御回路からの信号によって、コイル６に対して順方向の電流が供給される。そのため、回転子４は、反時計方向へ回転させられ、駆動ピン４ｃを、図１において略右下方向へ移動させていくので、シャッタ羽根８は反時計方向へ回転させられ、シャッタ羽根９は時計方向へ回転させられる。それによって、２枚のシャッタ羽根８，９は、開口部１ａを閉じてゆき、開口部１ａを閉じ終わると、その直後に、シャッタ羽根８がストッパ軸１ｊに当接し、シャッタ羽根９がストッパ軸１ｋに当接する。
【００２０】
このようにして、ストッパ軸１ｊ，１ｋに当接したとき、シャッタ羽根８，９は、その衝撃で大きく撓まされ、それにより、僅かではあるが、薄いカバー板２を瞬間的に撓ませてしまうことがある。そのため、従来は、本実施例の羽根軸１ｆのように、その先端が羽根室内にあると、まれにではあるが、シャッタ羽根８が羽根軸１ｆから脱落してしまうことがあるため、二つの羽根軸１ｆ，１ｇとも、それらの先端を、カバー板２に設けた孔に挿入させ、先端とカバー板との間に隙間が生じないようにしていた。しかしながら、本実施例の場合には、そのような事態の発生する心配が全くない。何故ならば、シャッタ羽根８は地板１側に配置されていて、カバー板２との間には、シャッタ羽根９が配置されているからである。つまり、取付軸１ｆの先端とカバー板２の間にシャッタ羽根の１枚分以上の隙間ができてしまうのがまれな上に、そのときに限って、相手のシャッタ羽根９を押してまでも、取付軸１ｆの先端まで移動するような大きな力が働くことは、皆無に等しいからである。従って、本実施例の場合には、シャッタ羽根８，９がストッパ軸１ｊ，１ｋに当接したとき、そのような事態が発生せず、回転子４の回転が停止させられる。図３は、その停止状態を示したものである。
【００２１】
このようにして、図３に示された状態になると、固体撮像素子に蓄積された電荷が、撮像情報として記憶装置に転送される。そして、その転送が終わると、コイル６に対して上記とは異なる逆方向の電流が供給されるため、回転子４は時計方向へ回転させられ、その駆動ピン４ｃを、図３において左上方向へ移動させていく。そのため、シャッタ羽根８，９は、相反する方向へ回転させられ、開口部１ａを開放していく。そして、開口部１ａを全開にすると、その直後に、シャッタ羽根８はストッパ軸１ｈに当接し、シャッタ羽根９はストッパ軸１ｉに当接することによって、回転子４の回転が停止させられる。このときにも衝撃は生じるが、上記したように、シャッタ羽根８が取付軸１ｆから脱落してしまう心配はない。その後、コイル６への通電を断つと、図１の状態に復帰したことになる。
【００２２】
以上のように、本実施例によれば、カバー板２を薄くしても、羽根軸１ｆの先端を羽根室内に存在させておくことが可能になるため、そのぶんだけ、カメラ内でカバー板２に隣接される部材の配置設計が容易になる。
【実施例２】
【００２３】
次に、図４〜図８に示した実施例２を説明するが、本実施例は、絞り付きシャッタ装置として構成したものである。そして、図４は、撮影待機状態を示した平面図であり、図５は、上記の図２と同じようにして示した断面図である。また、図６は、絞り羽根を撮影光路へ臨ませずに行った撮影終了状態を示す平面図である。更に、図７は、絞り羽根を撮影光路へ臨ませた状態を示す平面図であり、図８は、その図７の状態で行った撮影終了状態を示す平面図である。尚、図４は、カバー板２と中間板１０を、それらの一部を破断して示したものであり、図６〜図８の平面図は、絞り羽根を配置している羽根室内を見易くするために、図４に示されているカバー板２を取り外して示したものである。
【００２４】
最初に、本実施例の構成を説明するが、本実施例におけるシャッタ羽根の取付構成と、シャッタ羽根の駆動手段である電磁アクチュエータの構成は、実施例１の場合と実質的に同じである。そこで、各図においては、それらの構成部材と部位については、実施例１の場合と同じ符号を付けてある。そのため、それらについての詳細な説明は省略することにし、実施例１の場合と異なる構成についてだけ説明することにする。
【００２５】
本実施例は、地板１とカバー板２との間を中間板１０で仕切り、地板１側に構成した羽根室に上記のシャッタ羽根８，９を配置し、カバー板２側に構成した羽根室に絞り羽根１１を配置している。そこで先ず、中間板１０は、カバー板２と略同じ平面形状をしていて、上記の開口部１ａ，２ａと対向するところに、開口部２ａと同じ大きさをした撮影光路用の開口部１０ａを形成している。そのほか、この中間板１０には、上記の長孔１ｅ，２ｂと対向するところに、長孔２ｂと同じ形状をした長孔１０ｂを形成しており、カバー板２の孔２ｃ，２ｄ，２ｅ，２ｆ，２ｇと対向するところには、それらと同じ形状をした孔１０ｃ，１０ｄ，１０ｅ，１０ｆ，１０ｇを形成している。そのため、上記の羽根軸１ｆの先端は、地板１側の羽根室内に存在しているが、上記の羽根軸１ｇと上記のストッパ軸１ｈ，１ｉ，１ｊ，１ｋは、孔１０ｃ，１０ｄ，１０ｅ，１０ｆ，１０ｇを貫通して、それらの先端を、カバー板２の孔２ｃ，２ｄ，２ｅ，２ｆ，２ｇに挿入している。また、上記した回転子４の駆動ピン４ｃは、長孔１ｅ，１０ｂを貫通して、その先端を、カバー板２の長孔２ｂに挿入している。
【００２６】
本実施例の場合、地板１の羽根室側の面には、さらに、一つの羽根軸１ｍと、二つのストッパ軸１ｎ，１ｐが立設されている。そして、それらのうち、羽根軸１ｍは、中間板１０に形成されている孔１０ｈを貫通し、その先端を、カバー板２に形成された孔２ｈに挿入している。また、ストッパ軸１ｎ，１ｐは、中間板１０に形成されている孔１０ｉ,１０ｊを貫通し、それらの先端を、カバー板２に形成された孔２ｉ，２ｊに挿入している。
【００２７】
カバー板２側の羽根室に配置されている絞り羽根１１は、開口部１ａよりも小さい円形をした絞り用の開口部１１ａと、作動上、上記の羽根軸１ｇと上記の駆動ピン４ｃとに干渉しないようにするための開口部１１ｂを有していて、上記の羽根軸１ｍに回転可能に取り付けられている。また、絞り羽根１１を往復回転させるための電磁アクチュエータ（以下、第２電磁アクチュエータという）は、シャッタ羽根８，９を往復回転させるための上記の電磁アクチュエータ（以下、第１電磁アクチュエータという）と実質的に同じ構成をしている。そのため、その全体構成の図示は省略されているが、図４及び図６〜図８には、その回転子と一体的に回転する駆動ピン１２だけが示されている。そして、その回転子は、地板１の羽根室外の面に回転可能に取り付けられているため、駆動ピン１２は、地板１に形成された円弧状の長孔１ｑと、中間板１０に形成された同じ形状の長孔１０ｋを貫通して、カバー板２側の羽根室内で、絞り羽根１１に形成された周知の長孔に嵌合し、その先端を、長孔１ｑ，１０ｋと同じ形状であってカバー板２に形成されている長孔２ｋに挿入している。そのため、図４において、駆動ピン１２は、図示していない回転子が反時計方向へ回転すると略右方向へ移動し、その後、回転子が時計方向へ回転すると、図４の位置に復帰するようになっている。
【００２８】
次に、本実施例の作動を説明する。図４は撮影待機状態を示したものであって、シャッタ羽根８，９は開口部１ａを全開にしている。また、絞り羽根１１は開口部１ａに進入しておらず、退避状態にある。そのため、図示していない固体撮像素子には被写体光が当たっており、撮影者は、モニターによって被写体像を観察することが可能になっている。また、このとき、夫々の電磁アクチュエータのコイルには通電されていない。しかしながら、第１電磁アクチュエータの回転子は、このとき、その本体部４ａとヨーク５との間に作用する磁気吸引力によって、時計方向へ回転するように付勢されており、第２電磁アクチュエータの回転子も、同様にして、時計方向へ回転するように付勢されている。そのため、駆動ピン４ｃは、シャッタ羽根８を時計方向へ、シャッタ羽根９を反時計方向へ回転させようとし、駆動ピン１２は、絞り羽根１１を反時計方向へ回転させようとしているが、夫々の羽根８，９，１１が、ストッパ軸１ｈ，１ｉ，１ｎに接触していることによって、この状態が維持されている。
【００２９】
撮影に際してレリーズボタンが押されると、その初期段階において、先ず、測光回路によって被写体光を測定し、その結果、被写体光を減光して撮影すると判断された場合は、最初に絞り羽根１１を開口部１ａに進入させておいてから実際の撮影が開始され、被写体光を減光しないで撮影すると判断された場合には、直ちに、固体撮像素子に蓄積されていた電荷を放出させて、撮影が開始される。しかしながら、後者の場合には、第１電磁アクチュエータによって、シャッタ羽根８，９が往復回転させられるだけであるから、その作動説明は、実施例１の作動説明中におけるカバー板２を中間板１０と読み替えるだけで同じになる。従って、重複を避けるために、後者の場合の作動説明を省略し、実施例１の図３に相当する状態を図６に示すだけにする。
【００３０】
そこで、撮影に際してレリーズボタンが押されたとき、測光回路の測定結果によって、被写体光を減光して撮影すると判断された場合について説明する。この場合には、先ず、その第２電磁アクチュエータのコイルに対して、順方向の電流が供給される。それによって、図示していない回転子は、反時計方向へ回転させられ、図４において、駆動ピン１２を略右方向へ移動させる。それによって、絞り羽根１１は、時計方向へ回転させられ、開口部１ａ内に進入していく。そして、絞り用の開口部１１ａの中心が、開口部１ａの中心位置までくると、絞り羽根１１がストッパ軸１ｐに当接して停止する。図７は、そのときの状態を示したものである。
【００３１】
この状態になると、直ちに、固体撮像素子に蓄積されていた電荷を放出させて、撮影が開始され、新たな電荷が固体撮像素子に蓄積されていく。そして、所定の時間が経過すると、露光時間制御回路からの信号によって、第１電磁アクチュエータのコイル６に対して順方向の電流が供給される。それによって、回転子４は反時計方向へ回転させられるので、駆動ピン４ｃによって、シャッタ羽根８は反時計方向へ、シャッタ羽根９は時計方向へ回転させられ、開口部１ａを閉じていく。そして、開口部１ａが完全に閉鎖されると、その直後に、シャッタ羽根８がストッパ軸１ｊに当接し、シャッタ羽根９がストッパ軸１ｋに当接することにより、回転子４の回転が停止させられるが、このとき、衝撃によって、薄い中間板１０が瞬間的に変形させられても、シャッタ羽根８と中間板１０の間にはシャッタ羽根９が配置されているので、シャッタ羽根８が羽根軸１ｆから脱落するようなことはない。図７は、そのようにしてシャッタ羽根８，９が停止した状態を示したものである。
【００３２】
この図７の状態において、固体撮像素子に蓄積された電荷が、撮像情報として記憶装置に転送されると、第１電磁アクチュエータのコイルに対して逆方向の電流が供給されるので、回転子４は時計方向へ回転させられ、その駆動ピン４ｃによって、シャッタ羽根８，９を相反する方向へ回転させ、開口部１ａの開き作動を行わせる。他方、第２電磁アクチュエータのコイルに対しても逆方向の電流が供給されるので、回転子は時計方向へ回転させられ、その駆動ピン１２によって、絞り羽根１１を反時計方向へ回転させ、開口部１ａから退かせていく。そして、シャッタ羽根８，９は、開口部１ａを全開にした直後に、ストッパ軸１ｈ，１ｉに当接して停止させられるが、そのときの衝撃で中間板１０が瞬間的に変形させられても、シャッタ羽根８が羽根軸１ｆから脱落してしまうようなことはない。他方、絞り羽根１１の方は、開口部１ａから完全に退いた直後に、ストッパ軸１ｎに当接して停止させられる。その後、両方の電磁アクチュエータのコイルに対する通電を断つと、図４の状態に復帰したことになる。
【００３３】
このような本実施例においては、図４及び図７から分かるように、カバー板２側の羽根室内に配置されている絞り羽根１１は、いかなる作動位置においても、地板１側の羽根室内にある羽根軸１ｆの延長線上に存在している。そのため、仮に、羽根軸１ｆが、従来のように、中間板１０に形成された孔からカバー板２側の羽根室内に突き出ていると、絞り羽根１１を本実施例のように配置することができなくなる。また、それだからといって、設計上は、羽根軸１ｆの先端が中間板１０に形成された孔の中に存在するようにしたとしても、中間板１０が薄いため、実際にそのように製作することが困難であるし、中間板１０が撓み易くなっているため、絞り羽根１１に接触し、傷付けられてしまうようになる。ところが、本実施例の場合には、地板１側に配置されているシャッタ羽根８を羽根軸１ｆに取り付け、中間板１０側に配置されているシャッタ羽根９を羽根軸１ｇに取り付けているため、羽根軸１ｆの先端を、地板１側の羽根室内に存在させることが可能となり、その結果、絞り羽根１１を本実施例のように配置することが可能になっている。
【００３４】
また、上記したように、本実施例においては、カバー板２に、二つの長孔２ｂ，２ｋと、八つの孔２ｃ，２ｄ，２ｅ，２ｆ，２ｇ，２ｈ，２ｉ，２ｊが形成されている。しかしながら、それらのうち、長孔２ｂは、駆動ピン４ｃの先端を挿入するためのものである。ところが、その駆動ピン４ｃは、シャッタ羽根８，９だけを作動させるためのものであるから、中間板１０の長孔１０ｂに挿入されているだけでよいものである。そのため、駆動ピン４ｃを短くして、カバー板２に長孔２ｂを形成しないようにすることが可能である。また、仮に、長孔２ｂを形成したとしても、駆動ピン４ｃの先端を、その長孔２ｂから、突き出ないようにすることが可能である。そして、それと同じことは、上記の孔２ｃに先端を挿入している羽根軸１ｇや、上記の孔２ｄ，２ｅ，２ｆ，２ｇに先端を挿入しているストッパ軸１ｈ，１ｉ，１ｊ，１ｋについてもいえることである。従って、そのようにすれば、駆動ピン１２の先端と、ストッパ軸１ｐ，１ｎの先端だけが、カバー板２から突き出ることになるので、カメラ内でカバー板２に隣接される部材の配置設計が容易になる。
【００３５】
更に、本実施例は、上記のように、絞り装置を一緒にユニット化した絞り付きシャッタ装置として構成したものである。しかしながら、光量制御羽根としては、絞り羽根のほかにＮＤフィルタ羽根が知られている。そのため、本発明は、本実施例のような絞り付きシャッタ装置に限定されず、ＮＤフィルタ装置を一緒にユニット化したフィルタ付きシャッタ装置として構成しても差し支えない。そして、そのように構成するためには、本実施例の絞り羽根１１に、開口部１１ａを覆うようにしてＮＤフィルタシートを取り付ければよいことになるが、その場合の開口部１１ａの大きさは、撮影光路用の開口部１ａより小さくなくても構わない。
【００３６】
尚、上記の各実施例は、いずれも、その作動説明を、デジタルカメラに採用された場合で説明したが、それらは、銀塩フィルムを使用するカメラに採用することも可能である。そして、銀塩フィルムを使用するカメラに採用された場合には、図３，図６に示された状態が撮影待機状態になることは言うまでもない。
【図面の簡単な説明】
【００３７】
【図１】撮影待機状態を示す実施例１の平面図である。
【図２】実施例１の断面図である。
【図３】撮影終了状態を示す実施例１の平面図である。
【図４】撮影待機状態を示す実施例２の平面図である。
【図５】実施例２の断面図である。
【図６】絞り羽根を用いずに行った撮影終了状態を示す実施例２の平面図である。
【図７】絞り羽根を撮影光路へ臨ませた状態を示す実施例２の平面図である。
【図８】図７の状態で行った撮影終了状態を示す実施例２の平面図である。
【符号の説明】
【００３８】
１                                      地板
１ａ，２ａ，１０ａ，１１ａ，１１ｂ      開口部
１ｂ，１ｃ                              取付軸
１ｄ                                    回転子軸
１ｅ，１ｑ，２ｂ，２ｋ，９ａ，１０ｂ，１０ｋ  長孔
１ｆ，１ｇ，１ｍ                        羽根軸
１ｈ，１ｉ，１ｊ，１ｋ，１ｎ，１ｐ      ストッパ軸
２                                      カバー板
２ｃ〜２ｊ，１０ｃ〜１０ｊ              孔
３                                      モータ枠
４                                      回転子
４ａ                                    本体部
４ｂ                                    腕部
４ｃ，１２                              駆動ピン
５                                      ヨーク
６                                      コイル
７                                      ボビン
８，９                                  シャッタ羽根
１０                                    中間板
１１                                    絞り羽根
【図１】
2008116641.tif 000003
【図２】
2008116641.tif 000004
【図３】
2008116641.tif 000005
【図４】
2008116641.tif 000006
【図５】
2008116641.tif 000007
【図６】
2008116641.tif 000008
【図７】
2008116641.tif 000009
【図８】
2008116641.tif 000010